(57)【要約】【課題】レール製造コストを低減でき、更に静電気除去作用を損なうことなく遊技球の衝突による衝撃音を小さくできるレールを備えた遊技機を提供する。【解決手段】レール６の遊技盤２への取り付け側の適宜位置に脚片２０を突設し、脚片２０の先端に更に固定用ピン２１を延設した。固定用ピン２１を遊技盤２に形成した固定孔２３に挿入してレール６を遊技盤上へ立設し、脚片２０によりレール６と遊技盤２との間に隙間Ｔを形成した。レール６の内側面にはレール６の長手方向に沿って帯状の導電性弾性体２２を貼着した。【選択図】図２
2006334101.tif 000002
【特許請求の範囲】
【請求項１】
遊技盤前面に配設されたレールにより、発射された遊技球を案内すると共に遊技球が流下する遊技領域を形成した遊技機において、
前記遊技盤前面に対して前記レールを少なくとも一部が所定の隙間を有するように配置したことを特徴とする遊技機。
【請求項２】
レールの遊技球が接触する面側に、導電性を有する長尺状の弾性体を貼着したことを特徴とする請求項１に記載の遊技機。
【請求項３】
レールと遊技盤前面との間に隙間を形成するための隙間形成手段、及び前記レールを遊技盤に固定するための固定手段を、前記レールに一体的に成形したことを特徴とする請求項１又は２に記載の遊技機。
【請求項４】
隙間形成手段がレールの長手方向の側部に突設された脚片であると共に、固定手段は前記脚片から更に突設された固定用ピンであり、前記固定用ピンを遊技盤に圧入して前記脚片を遊技盤前面に立設し、レールを遊技盤上に前記脚片の長さだけ隙間を有した状態で立設固定したことを特徴とする請求項３に記載の遊技機。
【請求項５】
レールと遊技盤前面との間の特定の隙間が、遊技球の半径以下或いは略３．０〜５．５ｍｍであることを特徴とする請求項１乃至４の何れかに記載の遊技機。
【請求項６】
レールに、その長手方向に平行に形成されたスリットを設けたことを特徴とする請求項１乃至５の何れかに記載の遊技機。
【発明の詳細な説明】
【技術分野】
【０００１】
本発明は、遊技機に関し、詳しくは遊技盤上に遊技領域を形成すると共に遊技球を遊技領域へと誘導するレールを備えた遊技機に関する。
【背景技術】
【０００２】
遊技機の１つであるパチンコ機では、遊技領域は帯状のレールにより囲まれて形成されている。このレールは、発射手段により発射された遊技球を遊技盤上部に形成された遊技領域に誘導するための円弧状の外レールと、遊技領域の下部から上部に向かって円弧状に配設され、アウト球をアウト口に案内する内レールとから構成されている。
そして、これら外レール及び内レールは、遊技盤に密着するよう装着され、遊技球の直径と略同一の幅を有し、外レールと内レールを合わせた長さは遊技領域の全周或いはそれ以上の長さを有し、例えば特許文献１に示すように割ピンを用いて遊技盤面に固定されたり、特許文献２に記載されているようにレールに設置用ピンを一体形成して、このピンを遊技盤の所定部位に圧入して組み付け固定されていた。
【０００３】
【特許文献１】特開２００５−６６３０７号公報（第４図）
【特許文献２】特開２００１−２１０１９３号公報（第４図）
【発明の開示】
【発明が解決しようとする課題】
【０００４】
しかし、レールは遊技球の遊技盤上での摺動或いは遊技領域に設置されている障害釘との衝突により遊技球に生じた静電気を除去する機能を有しているため、レールは金属板が使用されコストが掛かっていた。また、金属製であるため、遊技球との接触音が大きく、特に遊技領域下部に設けられた内レールにアウト球となった遊技球が落下して衝突する衝突音は大きく、パチンコ騒音の原因の一つになっていた。
また、レールは遊技面に密着するように組み付けられて取り外し難い構造であり、近年重要になってきているリサイクル性の点から、取り外し易い構造が求められていた。
【０００５】
そこで、本発明はこのような問題点に鑑み、レールの製造コストを低減でき、また静電気除去作用を損なうことなく遊技球の衝突音を小さくでき、更に取り外し易いレールを備えた遊技機を提供することを目的とする。
【課題を解決するための手段】
【０００６】
上記課題を解決する為に、請求項１に記載の発明は、遊技盤前面に配設されたレールにより、発射された遊技球を案内すると共に遊技球が流下する遊技領域を形成した遊技機において、前記遊技盤前面に対して前記レールを少なくとも一部が所定の隙間を有するように配置したことを特徴とする。
このようにレールと遊技盤との間に隙間を設けることで、レール自体の幅を狭くでき、レール部材を削減してレールを安価に製造できる。また、遊技面との間に隙間を設けることでレールを取り外し易く、リサイクルし易くなる。
【０００７】
請求項２に記載の発明は、請求項１の発明において、レールの遊技球が接触する面側に、導電性を有する長尺状の弾性体を貼着したことを特徴とする。
このように弾性体をレールに貼着することにより、遊技球の衝突の衝撃を和らげて衝突音を小さくすることができる。また、弾性体に導電性を持たせることで、遊技球に生じた静電気を除去することができる。
【０００８】
請求項３に記載の発明は、請求項１または２の発明において、レールと遊技盤前面との間に隙間を形成するための隙間形成手段、及び前記レールを遊技盤に固定するための固定手段を、前記レールに一体的に成形したことを特徴とする。
この構成により、スペーサや固定釘等を別途必要としないので、部材を削減することができる。
【０００９】
請求項４に記載の発明は、請求項３の発明において、隙間形成手段がレールの長手方向の側部に突設された脚片であると共に、固定手段は前記脚片から更に突設された固定用ピンであり、前記固定用ピンを遊技盤に圧入して前記脚片を遊技盤前面に立設し、レールを遊技盤上に前記脚片の長さだけ隙間を有した状態で立設固定したことを特徴とする。
この構成により、レールと遊技盤との間に容易に隙間を形成することができるし、脚片及び固定用ピンはレール製造時に併せて形成できるため、低コストで製造することができる。
【００１０】
請求項５に記載の発明は、請求項１〜４のいずれかの発明において、レールと遊技盤前面との間の特定の隙間が、遊技球の半径以下或いは略３．０〜５．５ｍｍであることを特徴とする。
この構成により、遊技球を良好に案内できるし部材を確実に削減してレールを安価にできる。
【００１１】
請求項６に記載の発明は、請求項１〜５のいずれかの発明において、レールに、その長手方向に平行に形成されたスリットを設けたことを特徴とする。
この構成により、レール部材を更に削減でき安価に製造することができる。
【発明の効果】
【００１２】
本発明によれば、レールを遊技盤前面との間に隙間を設けて配設するので、レールの幅を狭くでき、部材を削減して安価に製造することができる。また、レールの遊技球が接触する面に導電性を有する弾性体を備えるので、遊技球が衝突する衝撃を和らげて衝突音を小さくできるし、遊技球に生じた静電気を除去することができる。更に、遊技面との間に隙間を設けることでレールを取り外し易く、リサイクルし易い。
【発明を実施するための最良の形態】
【００１３】
以下、本発明を具体化した実施の形態を、図面に基づいて詳細に説明する。図１は、本発明に係る遊技機の一例であるパチンコ機３１の正面図を示している。図１において、１は遊技盤２上に配置された遊技領域、３は発射装置（図示せず）へ遊技球を供給するための供給皿、４は供給皿３から溢れた遊技球を貯留するための貯留皿、５は遊技球を遊技領域１へ発射操作する発射ハンドル、８はスピーカである。
【００１４】
パチンコ機３１は、パチンコ機３１本体を支持する機枠３２の前面に遊技盤２を設置してなるものである。遊技盤２は、ベニヤ合板から成る板体で形成され、前面は図示しない透明なガラス板で覆われており、遊技盤２前面とガラス板の間に遊技領域１が形成されている。この遊技領域１は、遊技盤２に組み付けられたレール６により円形に囲まれて形成されている。
【００１５】
レール６は、半円弧状に形成された外レール６ａと内レール６ｂから成り、外レール６ａは発射装置により発射された遊技球を遊技領域１に誘導する誘導路を形成し、内レール６ｂは遊技領域の下部から左右上部に向かって配設され、アウト球となった遊技球を回収するアウト口７を最下部に備えている。
【００１６】
遊技領域１には、ほぼ中央に図柄を表示する図柄表示装置１０が設置されているとともに、遊技球が当接すると旋回する複数の風車１１、１１、普通図柄始動ゲート１３、１３、普通電動役物（特別図柄始動口）１４、大入賞装置１５等が設置されている。図柄表示装置１０は、液晶表示板から成る特別図柄表示部１０ａ、普通図柄表示部１０ｂ等から構成されている。また、遊技領域１内には、多数の障害釘９が設けられている。
【００１７】
そして、パチンコ機３１全体の動作を制御する主制御部、図柄表示や電飾，音等を制御する表示統合部、図柄表示装置を制御する図柄制御部等は、遊技盤や供給皿等の背部に設置された図示しない基板に組み付けられている。尚、これら各制御部の動作は従来と同様であるし、本発明の要旨ではないので説明を省略する。
【００１８】
図２は、普通電動役物１４、図柄表示装置１０等を省略して図１のレール６及び遊技盤２を抜き出した斜視図であり、図示するように外レール６ａ及び内レール６ｂは、共に脚片２０を備えており、遊技盤２との間に一定の隙間Ｔを設けた状態で遊技盤２に立設されている。また、図３はレール６の拡大説明図、図４は図３のＡ−Ａ線断面図を示し、これらの図を基にレール６を詳しく説明する。
レール６は、略６ｍｍの一定幅で形成され、脚片２０は５ｍｍの長さで形成されている。この脚片２０は、レール６の適宜位置に設けられ、脚片２０の先端には遊技盤２に組み付けるための固定用ピン２１が形成され、この固定用ピン２１を遊技盤２に挿入することでレール６は遊技盤２に組み付けられる。
また、レール６の内面（遊技領域形成面）には、帯状の導電性弾性体２２が全長に亘り貼着されている。この導電性弾性体２２は、例えば天然ゴムにカーボンブラックを添加した周知の導電性ゴムを帯状に形成したものを適用できる。
【００１９】
こうして高さが５ｍｍの脚片２０を設けることで、遊技盤２に取り付けられたレール６は、遊技盤２との間に５ｍｍの隙間Ｔが形成される。尚、脚片２０及び固定用ピン２１は、金属板からレール６を打ち抜き等により製造する時に同時に形成すれば良く、容易に製造できる。
【００２０】
一方、遊技盤２のレール取付部位には、固定用ピン２１の位置に合わせて固定用ピン２１を挿入係止する係止孔２３が設けられている。この係止孔２３は、固定用ピン２１の幅（或いは径）より僅かに小さい径で形成され、固定用ピン２１を圧入することでレール６は確実に固定される。尚、図４において、２４は遊技球を示している。
【００２１】
このように、レールと遊技盤との間に隙間を形成することで、レール自体の幅を狭くでき、レール部材を削減できレールを安価に製造することができるし、レールを取り付けるための固定釘を別途必要としないので、更に部材を削減することができる。また、隙間を設けることで、ドライバー等を使用して隙間に挿入すればレールを抜き取ることが可能であり、レールを取り外し易く分解リサイクル作業が容易となる。
また、脚片を有するのでスペーサ等を使用する事無くレールを所定の隙間を設けて装着でき、脚片や固定用ピンは、レール製造時に同時に打ち抜き等で製造できるので、容易に製造できる。
更に、レールの内面に導電性弾性体を貼着しているため、遊技領域内を落下してきた遊技球との衝突を和らげて衝突音を小さくできるし、障害釘との衝突により遊技球に生じた静電気を除去することができる。
【００２２】
尚、脚片２０の高さ、即ち隙間Ｔの幅は、遊技球の半径以下（パチンコ機においては５．５ｍｍ以下）であれば、レール６は隙間Ｔを有しても遊技球を良好に案内でき遊技に影響を及ぼすことが無いが、隙間Ｔを狭くするほど、コストダウンが図れなくなり、隙間を設けるメリットが無くなるため、パチンコ機の場合は３．０〜５．５ｍｍ程度とするのが好ましい。仮に、隙間Ｔを遊技球の半径より大きく形成すると、上記図４と対比して示した図１１に示すように、遊技球２４が隙間Ｔに挟まる事態が発生し、こうなると遊技機動作に異常をきたし、正常動作しなくなる。
また、固定用ピン２１と脚片２０とをレール６との一体成形により形成しているが、脚片２０までのみをレール６と一体成形し、固定用ピン２１は溶接により脚片２０に固着するようにしても良いし、従来の割りピンを脚片２０に取り付けて、割りピンを用いて遊技盤２に取り付けるようにしても良い。
【００２３】
更に導電性弾性体は、天然ゴム、シリコンゴム、エチレンプロピレンゴム、ブタジエンゴム、アクリロニトリルゴム、フッ素ゴム、クロロプレンゴム、ブチルゴム、スチレンブタジエン等の周知のゴムに、導電性を有するカーボンブラック、Ａｇ、Ｃｕ、Ｎｉ、Ｆｅ、インジウム、スズ酸化物、アンチモン、酸化亜鉛、ガリウム、アルミニウムなどの添加剤を添加したものとしても良く、帯電防止効果を有する程度の比較的高い電気抵抗を有するものでも良い。
尚、ここでは遊技性を考慮して弾性体としているが、ＡＢＳ樹脂、ポリアセタール、ポリアクリル樹脂等の逆の挙動を示す軟質樹脂を使用することもできる。導電性を持たせる為にこれらに樹脂に上述するカーボンブラック等を添加すればよい。
【００２４】
図５〜図１０はレール６の他の形状を示している。図５のレール側面図は、上記図３のレール６と、レール６の中央部にレール６の長手方向に伸びたスリット２５が形成され、２本の細レール２６、２６を平行配置した如き構成となっている点が異なっている。この場合、遊技盤２側の一方の細レール２６に導電性弾性体２２が貼着されている。尚、以下のレール変形例において、図３と同様の構成部材には同一の符号を付与し説明を省略する。
このように、レールを挟幅形成して遊技盤上に隙間を設けるのに加えて、スリットを形成して更に細く形成することで、軽量化を進めることができ、安価に製造することができる。
【００２５】
図６は遊技領域外側から見たレール側面図であり、レール６は上記図２のレール６と遊技盤２への取り付け構造が異なり、脚片２０に固定用ピンを一体に設けず、固定釘２７を用いて取り付ける構成となっている。
レール６の脚片２０端部と、脚片２０に対向するレール６の側部との双方に釘を挿通保持するための保持片２８，２８が形成されており、各保持片２８は、図７のＢ−Ｂ線断面図に示すように、レール部材をコ字状に折り曲げて形成されている。保持片２８には挿通孔が穿設されており、レール６は、この挿通孔に固定釘２７を挿通し、保持片２８を介して遊技盤２に固定釘２７を打ち込み取り付けられている。尚、遊技盤２の固定釘打ち込み部位には、上記固定用ピン２１と同様に固定釘２７より僅かに小さい打ち込み用孔２９が予め穿設されている。
【００２６】
このように、釘を使用することで、レールに固定用ピンを形成する必要がなくなり、製造に必要なレール部材の幅を狭くできる。また、釘にスペーサを介在させれば脚片自体も無くすことが可能となり、更に使用するレール部材を削減することができる。
【００２７】
また、図８の側面図に示すレールは、脚部を設けない点が上記図３のレール６とは異なっている。レール６の側部から固定用ピン２１が突出形成され、遊技盤２に取り付ける際、固定用ピン２１に筒状のスペーサ２９を介することで隙間Ｔを形成する形態となっている。このスペーサ２９は、導電性の有無はどちらでも良く、レール６に遊戯球が衝突した際に遊戯球に当たらない径で形成されたものが使用される。
このように、レールに一体形成した固定用ピンにスペーサを取り付けて隙間を形成するようにしても良い。こうすることで、隙間を容易に変更できる。
【００２８】
図９の側面図に示すレールは、脚部を設けない点が上記図３の形態とは異なり、上記図８に示すようにレール６側部から固定用ピン２１を突出形成している。但し、固定用ピン２１の途中に突起３０を設けて固定用ピン２１の挿入量を規定し、隙間Ｔを形成するようにしている。
このように固定用ピンに突起を設けるだけでも、所定量の隙間を得ることができるし、レール部材の削減を図ることができる。
【００２９】
図１０の側面図に示すレールは、脚部を設けない点が上記図３の形態とは異なり、上記図８、図９に示すようにレール６側部から固定用ピン２１を突出形成している。そして、固定用ピン２１を突出させたレール６側部の適宜部位に脚板３４が突設され、この脚板３４により固定用ピン２１の挿入量を規定して隙間Ｔを形成している。
このように、レールの適宜部位に所定の長さの突起を形成するだけでもレールを遊技盤に組み付けた際に隙間Ｔを設けることが可能であり、上記隙間形成部材と合わせて、レール設置環境に応じて最適な構造を選択すると良い。
【００３０】
尚、上記実施形態は、外レール６ａと内レール６ｂの双方を同一の構成としているが、何れか一方のレール６のみ隙間を設けた構成としても良い。また、隙間Ｔの形状においても、一定に形成する必要はなく、上述する条件をみたして隙間に遊戯球が入り込まない寸法であれば、途中で変更しても良い。
また、遊技盤前面に対して、レール隙間を複数設けたり、複数設けた場合に夫々形状や該隙間のレール部材の長手方向の間隔を変化させたりしても良い。該形状の例として、台形、その他多角形、楕円形、半円、円やそれらの少なくとも一部を変形した形状などが上げられるが、形状は特に限定されるものではない。複数に設けた場合の該間隔についても、各々の該間隔すべての間隔を相違させても良いし、該間隔を少なくとも一部変化させても良いし、該間隔の少なくとも一部は一定であってもよいが、間隔についても特に限定されるものではない。該形状も全て一致していても良いが、全て相違させても良いし、該形状を少なくとも一部変化させても良いし、該形状を少なくとも一部は一定であってもよいが、複数の形状を隙間を有する場合についても形状は特に限定されるものではない。更に言えば、遊戯球が装飾部材やその他遊技部材等で隠蔽されて、接触不可能な外レールや内レールに配置される部位等は上記条件以上の隙間を設けても差し支えない。更に、遊技に大きく悪影響を及ぼさなければ、特に、該部位についても限定されるものではない。
【００３１】
また、図５に示すようなスリット２５を設けているが、スリット２５の形状は特に限定されるものではない。更に、レール６は、図５に示すようにスリット２５を設けることで、幅方向に２分割しているが、幅方向に２分割以上複数に分割しても良いし、完全に分割した２本の細レールを平行配置して１つのレールとしても良いし、レール６を一定の幅を有する帯体としているが、途中から幅が変化しても良いし、断面円形のワイヤー状部材を複数本使用して形成しても良い。
そして、導電性弾性体もレール６の幅の変化に合わせて幅等を変更すれば良く、レール６がワイヤー状の場合は帯状に限定することなく、筒形状等の長尺状の部材としてレール６を被覆するように取り付けても良い。
【００３２】
また、導電性弾性体２２も双方のレール６ａ，６ｂに設けているが、内レール６ｂにだけ設けても良く、最も大きな衝突音である落下する遊技球の内レール６ｂへの衝突音を効果的に削減することができる。
また、本発明のレールを備えた遊技機は、上記実施形態の如きパチンコ機だけではなく、アレンジボール等の他の遊技機として応用することも可能である。また、導電性を有する弾性体をレールに貼着しているが、消音効果だけを得たいのであれば、導電性のない弾性体で良い。
【図面の簡単な説明】
【００３３】
【図１】本発明に係る遊技機の実施形態の一例を示すパチンコ機の正面図である。
【図２】図１の遊技盤とレールを抜き出した斜視図である。
【図３】内レールの拡大説明図である。
【図４】図３のＡ−Ａ線断面図である。
【図５】レールの変形例を示すレールの側面図である。
【図６】レールの変形例を示すレールの背面図である。
【図７】図６のＢ−Ｂ線断面図である。
【図８】レールの変形例を示すレールの側面図である。
【図９】レールの変形例を示すレールの側面図である。
【図１０】レールの変形例を示すレールの側面図である。
【図１１】レールの隙間が大き過ぎた場合の説明図を示し、図４と対比した説明図である。
【符号の説明】
【００３４】
１・・遊技領域、２・・遊技盤、６・・レール、６ａ・・外レール、６ｂ・・内レール、２０・・脚片（隙間形成手段）、２１・・固定用ピン（固定手段）、２２・・導電性弾性体、２５・・スリット、２６・・細レール、２７・・固定釘、２８・・保持片。
【図１】
2006334101.tif 000003
【図２】
2006334101.tif 000004
【図３】
2006334101.tif 000005
【図４】
2006334101.tif 000006
【図５】
2006334101.tif 000007
【図６】
2006334101.tif 000008
【図７】
2006334101.tif 000009
【図８】
2006334101.tif 000010
【図９】
2006334101.tif 000011
【図１０】
2006334101.tif 000012
【図１１】
2006334101.tif 000013